(57)【特許請求の範囲】
【請求項１】
紙葉類を搬送する搬送路に対向して配置され、紙葉類の磁気検出に使用される紙葉類磁気検出用磁気ヘッドであって、
前記搬送路に対向する磁気ギャップと、
前記磁気ギャップが介在するループ状の磁気回路と、
前記磁気回路を励磁する励磁手段と、
前記磁気回路に流れる磁気を検出する磁気検出手段と、
前記磁気ギャップの内側で、かつ前記磁気回路の内周に沿うように配置され、前記磁気ギャップの内側に漏れようとする漏れ磁束を前記磁気ギャップの外側に追い出す反発極性を有した反発用永久磁石と、を備えることを特徴とする紙葉類磁気検出用磁気ヘッド。
【請求項２】
紙葉類を搬送する搬送路に対向して配置され、紙葉類の磁気検出に使用される紙葉類磁気検出用磁気ヘッドであって、
前記搬送路に対向する第１磁気ギャップと、
前記第１磁気ギャップが介在するループ状の第１磁気回路と、
前記第１磁気回路の内側に配置される第２磁気ギャップと、
前記第２磁気ギャップが介在するループ状の第２磁気回路と、
前記第１磁気回路の一部と前記第２磁気回路の一部が重複する回路重複部と、
前記回路重複部で前記第１磁気回路及び前記第２磁気回路を励磁する励磁手段と、
前記第１磁気回路の内側で前記第２磁気回路に流れる磁気のみを検出する磁気検出手段と、
前記第１磁気ギャップの内側で、かつ前記第１磁気回路の内周に沿うように配置され、前記第１磁気ギャップの内側に漏れようとする漏れ磁束を前記第１磁気ギャップの外側に追い出す反発極性を有した反発用永久磁石と、を備えることを特徴とする紙葉類磁気検出用磁気ヘッド。
【請求項３】
前記励磁手段は、前記回路重複部に介在する励磁用永久磁石であることを特徴とする請求項２に記載の紙葉類磁気検出用磁気ヘッド。
【請求項４】
前記励磁手段は、前記回路重複部に巻装された励磁コイルであることを特徴とする請求項２に記載の紙葉類磁気検出用磁気ヘッド。
【請求項５】
前記磁気検出手段は、前記第１磁気回路の内側で前記第２磁気回路に巻装された検出コイルであることを特徴とする請求項２〜４のいずれか１項に記載の紙葉類磁気検出用磁気ヘッド。
【請求項６】
前記磁気検出手段は、前記第１磁気回路の内側で前記第２磁気ギャップに配置された磁気検出素子であることを特徴とする請求項２〜４のいずれか１項に記載の紙葉類磁気検出用磁気ヘッド。
【発明の詳細な説明】
【技術分野】
【０００１】
本発明は、紙葉類の磁気検出に使用される紙葉類磁気検出用磁気ヘッドに関する。
【背景技術】
【０００２】
紙葉類の磁気検出に使用される紙葉類磁気検出用磁気ヘッドが知られている。例えば、特許文献１、２の紙葉類磁気検出用磁気ヘッドは、励磁コイルや励磁用永久磁石を備えており、磁気ギャップから外側（紙葉類側）に向かって漏れ磁束を発生させる。この漏れ磁束は、紙葉類の磁気成分に応じて密度が変化するため磁気検出用磁束として利用されるだけでなく、紙葉類の磁気成分を着磁する着磁用磁束としても利用される。
【先行技術文献】
【特許文献】
【０００３】
【特許文献１】特開２００２−２０２３５３号公報
【特許文献２】特開昭６３−８８６９７号公報
【発明の概要】
【発明が解決しようとする課題】
【０００４】
しかしながら、この種の紙葉類磁気検出用磁気ヘッドでは、紙葉類に折り目やしわがある場合、紙葉類との間に発生する隙間によって検出精度が低下する所謂スペーシングロスが発生する虞がある。このようなスペーシングロスは、漏れ磁束の磁束密度を高めれば抑制されるが、励磁用永久磁石や励磁コイルが発生する磁力を高めるだけでは磁束密度の上昇に限界がある。
【０００５】
そこで、本発明は、スペーシングロスなどによる検出精度の低下を効果的に抑制できる紙葉類磁気検出用磁気ヘッドの提供を目的とする。
【課題を解決するための手段】
【０００６】
本発明は、上記の如き実情に鑑みこれらの課題を解決することを目的として創作されたものであって、請求項１の発明は、紙葉類を搬送する搬送路に対向して配置され、紙葉類の磁気検出に使用される紙葉類磁気検出用磁気ヘッドであって、前記搬送路に対向する磁気ギャップと、前記磁気ギャップが介在するループ状の磁気回路と、前記磁気回路を励磁する励磁手段と、前記磁気回路に流れる磁気を検出する磁気検出手段と、前記磁気ギャップの内側で、かつ前記磁気回路の内周に沿うように配置され、前記磁気ギャップの内側に漏れようとする漏れ磁束を前記磁気ギャップの外側に追い出す反発極性を有した反発用永久磁石と、を備えることを特徴とする。
請求項２の発明は、紙葉類を搬送する搬送路に対向して配置され、紙葉類の磁気検出に使用される紙葉類磁気検出用磁気ヘッドであって、前記搬送路に対向する第１磁気ギャップと、前記第１磁気ギャップが介在するループ状の第１磁気回路と、前記第１磁気回路の内側に配置される第２磁気ギャップと、前記第２磁気ギャップが介在するループ状の第２磁気回路と、前記第１磁気回路の一部と前記第２磁気回路の一部が重複する回路重複部と、前記回路重複部で前記第１磁気回路及び前記第２磁気回路を励磁する励磁手段と、前記第１磁気回路の内側で前記第２磁気回路に流れる磁気のみを検出する磁気検出手段と、前記第１磁気ギャップの内側で、かつ前記第１磁気回路の内周に沿うように配置され、前記第１磁気ギャップの内側に漏れようとする漏れ磁束を前記第１磁気ギャップの外側に追い出す反発極性を有した反発用永久磁石と、を備えることを特徴とする。
請求項３の発明は、請求項２に記載の紙葉類磁気検出用磁気ヘッドであって、前記励磁手段は、前記回路重複部に介在する励磁用永久磁石であることを特徴とする。
請求項４の発明は、請求項２に記載の紙葉類磁気検出用磁気ヘッドであって、前記励磁手段は、前記回路重複部に巻装された励磁コイルであることを特徴とする。
請求項５の発明は、請求項２〜４のいずれか１項に記載の紙葉類磁気検出用磁気ヘッドであって、前記磁気検出手段は、前記第１磁気回路の内側で前記第２磁気回路に巻装された検出コイルであることを特徴とする。
請求項６の発明は、請求項２〜４のいずれか１項に記載の紙葉類磁気検出用磁気ヘッドであって、前記磁気検出手段は、前記第１磁気回路の内側で前記第２磁気ギャップに配置された磁気検出素子であることを特徴とする。
【発明の効果】
【０００７】
請求項１の発明によれば、磁気ギャップの内側で、かつ磁気回路の内周に沿うように配置され、磁気ギャップの内側に漏れようとする漏れ磁束を磁気ギャップの外側に追い出す反発極性を有した反発用永久磁石を備えるので、磁気ギャップの外側（紙葉類側）に漏れる漏れ磁束の磁束密度を上昇させることができ、その結果、スペーシングロスなどによる検出精度の低下を効果的に抑制できる。
請求項２の発明によれば、紙葉類の磁気成分が第１磁気ギャップに近接すると、第１磁気回路及び第２磁気回路を流れる磁気（磁束密度）が変化するので、第２磁気回路を流れる磁気を磁気検出手段で検出することにより、紙葉類の磁気成分を検出することが可能になる。また、磁気検出手段は、常に（少なくとも検出動作時に）磁気が流れる第１磁気回路の内側で第２磁気回路に流れる磁気を検出するので、第１磁気回路を磁気シールドとして機能させ、磁気検出手段に到達する磁気的ノイズを低減し、紙葉類磁気検出用磁気ヘッドの検出精度を向上させることができる。また、第１磁気ギャップの内側で、かつ第１磁気回路の内周に沿うように配置され、第１磁気ギャップの内側に漏れようとする漏れ磁束を第１磁気ギャップの外側に追い出す反発極性を有した反発用永久磁石を備えるので、第１磁気ギャップの外側（紙葉類側）に漏れる漏れ磁束の磁束密度を上昇させることができ、その結果、スペーシングロスなどによる検出精度の低下を効果的に抑制できる。
請求項３の発明によれば、励磁手段は、回路重複部に介在する励磁用永久磁石なので、励磁コイルで励磁する場合に比べて電気回路を簡略化できるだけでなく、希土類磁石などの選択により強力な磁気を磁気回路内に流すことができる。
請求項４の発明によれば、励磁手段は、回路重複部に巻装された励磁コイルなので、常に励磁状態である励磁用永久磁石に比べて金属粉などの付着を抑制できる。
請求項５の発明によれば、磁気検出手段は、第１磁気回路の内側で第２磁気回路に巻装された検出コイルなので、既存の検出回路を用いて紙葉類の磁気成分を検出できる。
請求項６の発明によれば、磁気検出手段は、第１磁気回路の内側で第２磁気ギャップに配置された磁気検出素子なので、ホール素子、ＭＲ素子などの磁気検出素子を用いて紙葉類の磁気成分を検出できる。
【図面の簡単な説明】
【０００８】
【図１】本発明の第１実施形態に係る紙葉類磁気検出用磁気ヘッドの側面図である。
【図２】反発用永久磁石の有無による漏れ磁束の変化を示す模式図である。
【図３】漏れ磁束の磁束密度計測方法を示す説明図である。
【図４】図３の計測方法による計測結果を示すグラフである。
【図５】反発用永久磁石の有無による着磁能力の変化を示すグラフである。
【図６】本発明の第２実施形態に係る紙葉類磁気検出用磁気ヘッドの側面図である。
【図７】本発明の第３実施形態に係る紙葉類磁気検出用磁気ヘッドの側面図である。
【図８】本発明の第４実施形態に係る紙葉類磁気検出用磁気ヘッドの側面図である。
【図９】本発明の第５実施形態に係る紙葉類磁気検出用磁気ヘッドの側面図である。
【発明を実施するための形態】
【０００９】
［第１実施形態］
以下、本発明の実施の形態について、図面に基づいて説明する。図１において、１は第１実施形態の紙葉類磁気検出用磁気ヘッドであって、該紙葉類磁気検出用磁気ヘッド１は、紙幣などの紙葉類Ｐを搬送する搬送路２に対向して配置され、紙葉類Ｐの磁気検出に使用される。紙葉類Ｐの磁気成分としては、偽造防止用として使用される磁気インク、メタルスレッドなどが含まれる。また、紙葉類Ｐは、紙幣に限定されるものではなく、商品券、金券、切符、チケット、小切手などが含まれる。
【００１０】
紙葉類磁気検出用磁気ヘッド１は、搬送路２に対向する第１磁気ギャップ３と、第１磁気ギャップ３が介在するループ状の第１磁気回路４と、第１磁気回路４の内側に配置される第２磁気ギャップ５と、第２磁気ギャップ５が介在するループ状の第２磁気回路６と、第１磁気回路４の一部と第２磁気回路６の一部が重複する回路重複部７と、回路重複部７で第１磁気回路４及び第２磁気回路６を励磁する励磁用永久磁石８（励磁手段）と、第１磁気回路４の内側で第２磁気回路６に流れる磁気のみを検出する検出コイル９（磁気検出手段）と、を備える。以下、紙葉類Ｐの搬送方向をＸ方向、搬送される紙葉類Ｐの表裏面と直交する方向をＺ方向、Ｘ方向及びＺ方向と直交する方向をＹ方向として説明する。
【００１１】
第１磁気回路４及び第２磁気回路６は、高透磁率部材（例えば、パーマロイ）で形成されるコア部材を用いて構成される。本実施形態では、Ｆ字型の一対のコア部材１０が用いられる。具体的に説明すると、一対のコア部材１０は、それぞれ、Ｚ方向に沿う本体部１０ａと、本体部１０ａの一端部から互いに近付くようにＸ方向に延在し、先端面同士が第１磁気ギャップ３を介して対向する第１腕部１０ｂと、本体部１０ａの中間部から互いに近付くようにＸ方向に延在し、先端面同士が第２磁気ギャップ５を介して対向する第２腕部１０ｃと、を備える。
【００１２】
第１磁気ギャップ３は、紙葉類Ｐの円滑な搬送を阻害しないように、平板形状の非磁性部材１１（例えば、非磁性ステンレス）が埋め込まれる。具体的には、一対のコア部材１０の第１腕部１０ｂ間に非磁性部材１１を接着した後、第１腕部１０ｂ及び非磁性部材１１の紙葉類接触面を研磨することで、紙葉類Ｐの円滑な搬送が可能になる。
【００１３】
第２磁気ギャップ５は、第１磁気回路４の内側に配置され、紙葉類Ｐとは接触しないため、非磁性部材を埋め込むことなく、空隙状態とすればよい。
【００１４】
励磁用永久磁石８は、Ｘ方向に沿い、Ｘ方向一端部にＳ極、Ｘ方向他端部にＮ極を備える。励磁用永久磁石８のＸ方向一端部は、一方のコア部材１０の下端部内側面に接合され、励磁用永久磁石８のＸ方向他端部は、他方のコア部材１０の下端部内側面に接合される。これにより、励磁用永久磁石８は、第１磁気回路４の一部と第２磁気回路６の一部が重複する回路重複部７において、第１磁気回路４及び第２磁気回路６を励磁することが可能になる。
【００１５】
検出コイル９は、第１磁気回路４の内側で第２磁気回路６に巻装され、第２磁気ギャップ５を介して第２磁気回路６に流れる磁気のみを検出する。本実施形態の検出コイル９は、一方のコア部材１０の第２腕部１０ｃと、第２磁気ギャップ５と、他方のコア部材１０の第２腕部１０ｃとに跨って巻装されるが、いずれか一方の第２腕部１０ｃに巻装してもよい。
【００１６】
このように構成された第１実施形態の紙葉類磁気検出用磁気ヘッド１によれば、図１に示すように、励磁用永久磁石８から生じる磁気が、同等の磁気ギャップ３、５を有する２つの磁気回路４、６に分岐して流れる。ここで搬送路２に沿って紙葉類Ｐが搬送され、紙葉類Ｐの磁気成分が第１磁気ギャップ３に近接すると、第１磁気回路４及び第２磁気回路６を流れる磁気（磁束密度）が変化する。例えば、紙葉類Ｐの磁気成分が第１磁気ギャップ３に近接すると、第１磁気回路４を流れる磁気が増加し、第２磁気回路６を流れる磁気が減少する。この磁気変化を第２磁気回路６に巻装される検出コイル９で検出することにより、紙葉類Ｐの磁気成分を検出することが可能になる。
【００１７】
また、検出コイル９は、常に磁気が流れる第１磁気回路４の内側で第２磁気回路に流れる磁気を検出するので、第１磁気回路４を磁気シールドとして機能させ、検出コイル９に到達する磁気的ノイズを低減し、紙葉類磁気検出用磁気ヘッド１の検出精度を向上させることができる。
【００１８】
また、第１実施形態では、励磁用永久磁石８で第１磁気回路４及び第２磁気回路６を励磁するので、励磁コイルで励磁する場合に比べて電気回路を簡略化できるだけでなく、希土類磁石などの選択により強力な磁気を磁気回路４、６内に流すことができる。
【００１９】
また、第１実施形態では、第１磁気回路４の内側で第２磁気回路６に巻装された検出コイル９で磁気変化を検出するので、既存の検出回路を用いて紙葉類Ｐの磁気成分を検出できる。
【００２０】
ただし、上記の構成だけでは、紙葉類Ｐに折り目やしわがある場合、紙葉類Ｐとの間に発生する隙間によって検出精度が低下する所謂スペーシングロスが発生する虞がある。
【００２１】
本実施形態の紙葉類磁気検出用磁気ヘッド１は、スペーシングロスを抑制するための構成として反発用永久磁石１５をさらに備える。反発用永久磁石１５は、第１磁気ギャップ３の内側で、かつ第１磁気回路４の内周に沿うように配置され、第１磁気ギャップ３の内側に漏れようとする漏れ磁束を第１磁気ギャップ３の外側（紙葉類Ｐ側）に追い出す反発極性を有する。例えば、励磁用永久磁石８による励磁で、第１磁気ギャップ３を挟む第１磁気回路４の一方側がＮ極、第１磁気ギャップ３を挟む第１磁気回路４の他方側がＳ極の場合、第１磁気回路４の一方側の内側にＮ極、第１磁気回路４の他方側の内側にＳ極が位置するように反発用永久磁石１５が配置される。
【００２２】
このような紙葉類磁気検出用磁気ヘッド１によれば、図１及び図２に示すように、第１磁気ギャップ３の内側に漏れようとする漏れ磁束が反発用永久磁石１５によって第１磁気ギャップ３の外側（紙葉類Ｐ側）に追い出されるので、第１磁気ギャップ３から紙葉類Ｐ側に向かう漏れ磁束の磁束密度を上昇させることができ、その結果、スペーシングロスなどによる検出精度の低下を効果的に抑制できる。
【００２３】
［実施例］
本発明者らは、第１磁気ギャップ３の外側（紙葉類Ｐ側）に漏れる漏れ磁束の磁束密度が、反発用永久磁石１５の有無によってどのように変化するかを確かめるために、以下の方法で実験を行った。
【００２４】
図３に示すように、磁気計測センサＳを紙葉類磁気検出用磁気ヘッド１（反発用永久磁石１５あり）の検出面から２．２ｍｍ浮かし、紙葉類搬送方向に０．１ｍｍ刻みに磁気計測センサＳ又は紙葉類磁気検出用磁気ヘッド１を動かしながら平行磁界（ガウス値）を計測した。また、反発用永久磁石１５が設けられていない紙葉類磁気検出用磁気ヘッドについても同様の方法で平行磁界を計測した。その計測結果を図４に示す。
【００２５】
図４に示すように、上記の計測において、反発用永久磁石１５を備える紙葉類磁気検出用磁気ヘッド１は、反発用永久磁石１５を備えない紙葉類磁気検出用磁気ヘッドに比べ、ピーク部で約２．５倍の磁束密度が得られることがわかった。つまり、反発用永久磁石１５を備える紙葉類磁気検出用磁気ヘッド１では、第１磁気ギャップ３から紙葉類Ｐに向かって強力な磁力線を飛ばすことができるので、スペーシングロスの抑制に有効であることが確認された。
【００２６】
さらに、本発明者らは、着磁可能な磁気成分を有する紙葉類を用い、この紙葉類が、紙葉類磁気検出用磁気ヘッド１（反発用永久磁石１５あり）の検出面に接触する状態と、０．１ｍｍ浮いた状態と、０．２ｍｍ浮いた状態と、０．３ｍｍ浮いた状態とにおいて、それぞれ検出コイル９の出力値を計測した。紙葉類は、着磁専用の永久磁石を用いて飽和状態まで上書き着磁したものとし、上書き着磁直後に各状態における検出コイル９の出力値を計測した。接触状態における上書き直後の出力値を１００％とし、接触状態における上書き直後の出力値との差分に基づいて各状態における純粋な着磁能力を求めた。また、反発用永久磁石１５が設けられていない紙葉類磁気検出用磁気ヘッドについても同様の方法で計測した。その計測結果を図５に示す。
【００２７】
図５に示すように、上記の計測において、反発用永久磁石１５を備えない紙葉類磁気検出用磁気ヘッドでは、接触状態であっても着磁能力は６９％であり、０．１ｍｍ浮いた状態で２７％、０．２ｍｍ浮いた状態で０％まで低下してしまうことが確認された。これに対して、反発用永久磁石１５を備える紙葉類磁気検出用磁気ヘッド１では、着磁能力が、接触状態、０．１ｍｍ浮いた状態、及び０．２ｍｍ浮いた状態で１００％を示し、スペーシングロスによる着磁能力の減衰（８３％）は０．３ｍｍで始まることが確認された。
【００２８】
［他の実施形態］
つぎに、本発明の第２〜第５実施形態に係る紙葉類磁気検出用磁気ヘッド１Ｂ〜１Ｅについて、図６〜図９を参照して説明する。ただし、前記第１実施形態と共通の構成については、前記第１実施形態と同じ符号を用いることで、前記第１実施形態の説明を援用する場合がある。
【００２９】
［第２実施形態］
図６に示すように、第２実施形態の紙葉類磁気検出用磁気ヘッド１Ｂは、検出コイル９に代えて、第１磁気回路６の内側で第２磁気ギャップ５に配置された磁気検出素子１２を備える点が前記第１実施形態と相違している。
【００３０】
このような第２実施形態の紙葉類磁気検出用磁気ヘッド１Ｂによれば、ホール素子、ＭＲ素子などの磁気検出素子１２を用いて紙葉類の磁気成分を検出できるので、第１実施形態と同等の効果が得られる。また、磁気検出素子１２は、第２磁気ギャップ５に配置できるので、検出コイル９を巻装する場合に比べて紙葉類磁気検出用磁気ヘッド１Ｂをコンパクト化できる。
【００３１】
［第３実施形態］
図７に示すように、第３実施形態の紙葉類磁気検出用磁気ヘッド１Ｃは、励磁用永久磁石８に代えて、回路重複部７に巻装された励磁コイル１３を備える点が前記第１実施形態と相違している。なお、第３実施形態の磁気回路４、６は、前記第１実施形態のＦ字型のコア部材１０に代えて、Ｅ字型のコア部材１０Ｃを用いることにより容易に構成できる。
【００３２】
このような第３実施形態の紙葉類磁気検出用磁気ヘッド１Ｃによれば、励磁コイル１３で第１磁気回路４及び第２磁気回路６を励磁するので、第１実施形態と同等の効果が得られる。また、励磁コイル１３は、検出動作時に通電されるので、常に励磁状態である励磁用永久磁石８に比べて金属粉などの付着を抑制できる。
【００３３】
［第４実施形態］
図８に示すように、第４実施形態の紙葉類磁気検出用磁気ヘッド１Ｄは、検出コイル９に代えて磁気検出素子１２を備え、かつ励磁用永久磁石８に代えて励磁コイル１３を備える点が前記第１実施形態と相違している。このような第４実施形態の紙葉類磁気検出用磁気ヘッド１Ｄであっても、第１実施形態と同等の効果が得られる。なお、第４実施形態の磁気回路４、６は、前記第３実施形態と同様にＥ字型のコア部材１０Ｃを用いることにより容易に構成できる。
【００３４】
［第５実施形態］
図９に示すように、第５実施形態の紙葉類磁気検出用磁気ヘッド１Ｅは、搬送路に対向する１つの磁気ギャップ２１と、磁気ギャップ２１が介在する１つの磁気回路２２と、磁気回路２２を励磁する励磁手段としての励磁用永久磁石２３（又は励磁コイル）と、磁気回路４に流れる磁気を検出する磁気検出手段としての検出コイル２４（又は磁気検出素子）と、磁気ギャップ２１の内側で、かつ磁気回路２２の内周に沿うように配置され、磁気ギャップ２１の内側に漏れようとする漏れ磁束を磁気ギャップ２１の外側に追い出す反発極性を有した反発用永久磁石２５と、を備える。
【００３５】
このように構成される紙葉類磁気検出用磁気ヘッド１Ｅであっても、反発用永久磁石２５を備えることで、磁気ギャップ２１の外側（紙葉類側）に漏れる漏れ磁束の磁束密度を上昇させることができるので、スペーシングロスなどによる検出精度の低下を効果的に抑制できる。
【００３６】
なお、本発明は前記実施形態に限定されるものではなく、特許請求の範囲に記載された本発明の要旨の範囲内において、種々の変形、変更が可能である。
【符号の説明】
【００３７】
１、１Ｂ、１Ｃ、１Ｄ、１Ｅ  紙葉類磁気検出用磁気ヘッド
２  搬送路
３  第１磁気ギャップ
４  第１磁気回路
５  第２磁気ギャップ
６  第２磁気回路
７  回路重複部
８  励磁用永久磁石（励磁手段）
９  検出コイル（磁気検出手段）
１０  コア部材
１０ａ  本体部
１０ｂ  第１腕部
１０ｃ  第２腕部
１１  非磁性部材
１２  磁気検出素子（磁気検出手段）
１３  励磁コイル（励磁手段）
１５  反発用永久磁石
２１  磁気ギャップ
２２  磁気回路
２３  励磁用永久磁石
２４  検出コイル
２５  反発用永久磁石
Ｐ  紙葉類
【要約】
【課題】スペーシングロスなどによる検出精度の低下を効果的に抑制できる紙葉類磁気検出用磁気ヘッドを提供する。
【解決手段】  紙葉類Ｐの搬送路２に対向する第１磁気ギャップ３と、第１磁気ギャップ３が介在する第１磁気回路４と、第１磁気回路４の内側に配置される第２磁気ギャップ５と、第２磁気ギャップ５が介在する第２磁気回路６と、第１磁気回路４の一部と第２磁気回路６の一部が重複する回路重複部７と、回路重複部７で第１磁気回路４及び第２磁気回路６を励磁する励磁用永久磁石８と、第１磁気回路４の内側で第２磁気回路６に流れる磁気のみを検出する検出コイル９と、第１磁気ギャップ３の内側で、かつ第１磁気回路４の内周に沿うように配置され、第１磁気ギャップ３の内側に漏れようとする漏れ磁束を第１磁気ギャップ３の外側に追い出す反発極性を有した反発用永久磁石１５と、を備える。
【選択図】図１【図１】
0006725125.tif 000002
【図２】
0006725125.tif 000003
【図３】
0006725125.tif 000004
【図４】
0006725125.tif 000005
【図５】
0006725125.tif 000006
【図６】
0006725125.tif 000007
【図７】
0006725125.tif 000008
【図８】
0006725125.tif 000009
【図９】
0006725125.tif 000010